(57)【特許請求の範囲】
【請求項１】
有蓋筒状とされ、外周面には、軸線方向に延びる凸条が軸線回りに複数並んだローレット部と、前記凸条が形成されていない平滑部とが形成され、前記軸線回りに回転させることにより容器本体に螺着又は螺脱されるキャップにおいて、
螺着させる回転方向における前記ローレット部の最先端の前記凸条の螺着させる回転方向の第一の面の基端から、基準面に至る斜面が形成され、
前記基準面は、軸線を中心としかつ前記斜面と前記平滑部との境界を通る仮想円であり、
前記第一の面の基端は、前記基準面よりも内方に位置し、
前記斜面と、軸線を中心としかつ前記第一の面の基端を通る第一の仮想円の接線とのなす第一の傾斜角度は、前記の最先端の凸条における螺脱させる回転方向の第二の面と、軸線を中心とし前記第二の面の基端を通る第二の仮想円の接線とのなす第二の傾斜角度よりも小さいことを特徴とするキャップ。
【請求項２】
前記第一の傾斜角度は、前記第一の面と前記第一の面の基端を通る仮想円の接線とのなす傾斜角度よりも小さいことを特徴とする請求項１に記載のキャップ。
【発明の詳細な説明】
【技術分野】
【０００１】
本発明は、キャップに関する。
【背景技術】
【０００２】
一般に、液体洗剤、液体漂白剤、液体柔軟剤、溶剤等の液状物や、粒状洗剤、粒状漂白剤、粒状調味料等の粉粒物を収納する容器には、容器本体の口部に螺着されるキャップが設けられており、このキャップには、開閉の際に手指が滑らないように、その回転方向に略直交する向きの凸条又は凹条からなるローレット（ナール）が形成されている。この内、複数の凹条からなるローレットは、キャップの外観への影響を小さくでき、意匠性に優れるものの、手指が滑りやすいという問題を有する。一方、複数の凸条からなるローレットは、凹条からなるローレットに比べて手指が滑りにくいものの、凸条間のピッチが手指の大きさにフィットしないと、凸条の頂部を連ねた面（ローレット表面）を、手指が容易に滑ってしまうという問題がある。特に、液状物や水等で濡れた手指は、ローレット表面を滑りやすい。
【０００３】
こうした問題に対し、隣り合う縦リブの間に縦リブよりも背の低い小リブを縦リブと平行に形成したキャップが提案されている（例えば、特許文献１）。特許文献１の発明は、縦リブと小リブとを組み合わせることで、キャップを回転させる際に手指が滑るのを防止し、キャップの開閉の容易化を図っている。
また、外周面に形成されたローレットが、複数の分割ローレットからなるローレット付きキャップが提案されている（例えば、特許文献２）。特許文献２の発明は、複数の分割ローレットとして、凹凸部材が連続して形成される凹凸部と、凹凸部材のない空白部とを形成したり、左回転摩擦部と右回転摩擦部とを形成したりすることで、キャップの開閉作業の容易化を図っている。
【先行技術文献】
【特許文献】
【０００４】
【特許文献１】特開２００１−３５４２４７号公報
【特許文献２】特開２００７−１６０３号公報
【発明の概要】
【発明が解決しようとする課題】
【０００５】
しかしながら、特許文献１〜２の発明では、キャップを容器本体に螺着させる際に力が入りすぎて、容器本体に螺着されたキャップを螺脱させにくくなることがある。
そこで、本発明は、容器本体に強固に螺着されるのを防ぎ、容器本体からより容易に螺脱できるキャップを目的とする。
【課題を解決するための手段】
【０００６】
本発明のキャップは、有蓋筒状とされ、外周面には、軸線方向に延びる凸条が軸線回りに複数並んだローレット部と、前記凸条が形成されていない平滑部とが形成され、前記軸線回りに回転させることにより容器本体に螺着又は螺脱されるキャップにおいて、螺着させる回転方向における前記ローレット部の最先端の前記凸条の螺着させる回転方向の第一の面の基端から、基準面に向かう斜面が形成され、前記斜面と、軸線を中心としかつ前記第一の面の基端を通る第一の仮想円の接線とのなす第一の傾斜角度は、前記の最先端の凸条における螺脱させる回転方向の第二の面と、軸線を中心とし前記第二の面の基端を通る第二の仮想円の接線とのなす第二の傾斜角度よりも小さいことを特徴とする。
【発明の効果】
【０００７】
本発明のキャップによれば、有蓋筒状とされ、外周面には、軸線方向に延びる凸条が軸線回りに複数並んだローレット部と、前記凸条が形成されていない平滑部とが形成され、前記軸線回りに回転させることにより容器本体に螺着又は螺脱されるキャップにおいて、螺着させる回転方向における前記ローレット部の最先端の前記凸条の螺着させる回転方向の第一の面の基端から、基準面に向かう斜面が形成され、前記斜面と、軸線を中心としかつ前記第一の面の基端を通る第一の仮想円の接線とのなす第一の傾斜角度は、前記の最先端の凸条における螺脱させる回転方向の第二の面と、軸線を中心とし前記第二の面の基端を通る第二の仮想円の接線とのなす第二の傾斜角度よりも小さいため、容器本体に過度な力で螺着されず、容器本体からより容易に螺脱できる。
【図面の簡単な説明】
【０００８】
【図１】本発明の第一の実施形態にかかるキャップの側面図である。
【図２】本発明の第一の実施形態にかかるキャップの平面図である。
【図３】（ａ）本発明の第一の実施形態にかかるキャップの一部を示す模式図である。（ｂ）本発明の第一の実施形態にかかるキャップの一部を示す模式図である。
【図４】（ａ）本発明の第二の実施形態にかかるキャップの一部を示す模式図である。（ｂ）本発明の第二の実施形態にかかるキャップの一部を示す模式図である。
【発明を実施するための形態】
【０００９】
（第一の実施形態）
本発明の第一の実施形態にかかるキャップについて、以下に図１〜３を参照して説明する。
図１〜２に示すように、キャップ１は、平面視真円形の天壁部２と、天壁部２の周縁から垂下された円筒状の周壁部４とを備え、全体として有蓋円筒状とされたものである。
【００１０】
周壁部４の内面の天壁部２寄りには、周方向に延びるネジ部４０が形成されている。キャップ１は、軸線Ｏ１回りのＸ１方向（以下、螺着方向Ｘ１という）に回転されることで、ネジ部４０が容器本体の口部に形成されたネジ部（不図示）と螺合して容器本体と螺着され、軸線Ｏ１回りのＹ１方向（以下、螺脱方向Ｙ１という）に回転されることで容器本体から螺脱される。
周壁部４の外周面には、ローレット部１０が４つ形成され、ローレット部１０の間には、第一の凸条１２及び第二の凸条１４が形成されていない平滑部３０が形成されている。
【００１１】
図３（ａ）は、ローレット部１０の平面視におけるローレット部及びその近傍の模式図であり、図３（ｂ）は、図３（ａ）の部分拡大図である。
ローレット部１０は、軸線Ｏ１方向（即ち、キャップ１の回転方向に直交する方向）に延びる７つの第一の凸条１２と６つの第二の凸条１４とで構成され、螺着方向Ｘ１の両端が第一の凸条１２とされ、第一の凸条１２と第二の凸条１４とが交互に形成されたものである。
本実施形態において、第一の凸条１２及び第二の凸条１４は、周壁部４に複数の凹条が刻設されることで形成されている。
【００１２】
第一の凸条１２の突端１２ａは、周壁部４の基準面Ｑ１に位置し、第二の凸条１４の突端１４ａは、基準面Ｑ１よりも内方に位置している。即ち、第一の凸条１２は、第二の凸条１４よりも高いものとされている。このように、互いに高さの異なる第一の凸条１２と第二の凸条１４とを交互に形成することで、キャップ１を螺着方向Ｘ１又は螺脱方向Ｙ１に回転させる際に、より手指を滑りにくくできる。
【００１３】
周壁部４には、螺着方向Ｘ１における最先端に位置する第一の凸条１２（以下、最先端凸条１３ということがある）の螺合方向Ｘ１の面（第一の面）１３ａの基端（第一の基端）１３ｃから基準面Ｑ１に向かう平面状の斜面２０が形成され、斜面２０は、境界２２で基準面Ｑ１に接している。
こうして、本実施形態のキャップ１の周壁部４には、ローレット部１０から順に、螺着方向Ｘ１に斜面２０と平滑部３０とが形成されている。
【００１４】
斜面２０は、斜面２０と、軸線Ｏ１を中心としかつ第一の基端１３ｃを通る仮想円Ｃ１の接線Ｐ１とのなす第一の傾斜角度θ１が、最先端凸条１３における螺脱方向Ｙ１の面（第二の面）１３ｂと、第二の面１３ｂの基端（第二の基端）１３ｄを通る仮想円Ｃ１の接線Ｐ２とのなす第二の傾斜角度θ２よりも小さいものとされている。なお、接線Ｐ１は、第一の基端１３ｃを通るものであり、接線Ｐ２は、第二の基端１３ｄを通るものである。
本実施形態において、第一の仮想円及び第二の仮想円は共に仮想円Ｃ１である。
【００１５】
キャップ１の材質は、特に限定されず、ポリエチレン、ポリプロピレン、ポリエステル等の樹脂であってもよいし、アルミニウム等の金属であってもよい。
【００１６】
キャップ１の高さＨ１は、意匠性等を勘案して適宜決定される。
キャップ１の外径Ｒ１は、意匠性等を勘案して適宜決定される。
【００１７】
任意のローレット部１０とこれに隣接する斜面２０との形成範囲、即ち、ローレット部１０における、螺着方向Ｘ１の後端１１と軸線Ｏ１とを結ぶ線ｐ１と、境界２２と軸線Ｏ１とを結ぶ線ｐ２とのなす角度α１は、キャップ１の外径Ｒ１等を勘案して決定され、例えば、外径Ｒ１が３０〜６０ｍｍであれば、３０〜６０°とされる。
平滑部３０の形成範囲、即ち、平滑部３０を挟む線ｐ２と線ｐ１とのなす角度α２は、ローレット部１０とこれに隣接する斜面２０との形成範囲に応じて適宜決定される。
【００１８】
第一の凸条１２の高さＴ１、即ち、第一の凸条１２の基端から突端１２ａまでの距離は、特に限定されないが、例えば、０．２〜１．５ｍｍが好ましい。０．２ｍｍ未満では、キャップ１を螺着方向Ｘ１又は螺脱方向Ｙ１に回転させる際に、ローレット部１０に手指が引っ掛かりにくいおそれがあり、１．５ｍｍ超では、手指に痛みを感じるおそれがある。
【００１９】
第一の凸条１２同士の間隔Ｗ１、即ち任意の第一の凸条１２の突端１２ａと、これと第二の凸条１４を介して隣接する他の任意の第一の凸条１２の突端１２ａとの距離は、特に限定されないが、例えば、０．５〜２０ｍｍが好ましく、１〜１０ｍｍがより好ましい。上記範囲内であれば、キャップ１を螺着方向Ｘ１又は螺脱方向Ｙ１に回転させる際に、より手指が滑りにくくなる。
【００２０】
最先端凸条１３の第二の傾斜角度θ２、即ち、第一の凸条１２における螺脱方向Ｙ１の面の傾斜角度は、キャップ１の外径Ｒ１等を勘案して適宜決定され、例えば、３０°超９０°未満とされる。
【００２１】
第二の凸条１４の高さＴ２、即ち、第二の凸条１４の基端から突端１４ａまでの距離は、Ｔ１に応じて決定でき、例えば、Ｔ２／Ｔ１＝０．２以上１未満が好ましい。０．２未満では、高低差が大きすぎ、手指に痛みを感じるおそれがある。
【００２２】
斜面２０の第一の傾斜角度θ１は、第二の傾斜角度θ２よりも小さければよく、キャップ１の外径Ｒ１等を勘案して適宜決定される。第一の傾斜角度θ１は、例えば、キャップ１の外径Ｒ１が３０〜６０ｍｍであれば、０〜３０°が好ましく、０〜１５°がより好ましく、０°（即ち、斜面２０が接線方向に延びる）がさらに好ましい。上記下限値以上であれば、キャップ１を螺着方向Ｘ１に回転する際に締め付けすぎるのをより確実に防止でき、上記上限値以下であれば、キャップ１を螺脱方向Ｙ１に回転する際に最先端凸条１３に指がより掛かりやすくなり、キャップ１をより容易に容器本体から螺脱できる。
【００２３】
斜面２０の幅ｗ１、即ち、第一の基端１３ｃから斜面２０と基準面Ｑ１との境界２２までの距離は、キャップ１の外径Ｒ１等を勘案して適宜決定され、外径Ｒ１が３０〜６０ｍｍであれば、例えば、２〜６ｍｍが好ましい。上記下限値以上であれば、キャップ１を螺着方向Ｘ１に回転する際に締め付けすぎるのを防止でき、上記上限値以下であれば、キャップ１を螺脱方向Ｙ１に回転する際に最先端凸条１３に指が掛かりやすくなり、キャップ１を容易に容器本体から螺脱できる。
【００２４】
本実施形態のキャップ１の使用方法について説明する。
周壁部４に形成されたローレット部１０に手指を当接し、キャップ１を把持し、螺着方向Ｘ１に回転させて容器本体と螺着する。ここで、さらに強固にキャップ１を容器本体に螺着させようとすると、手指はローレット部１０の表面を螺着方向Ｘ１に向かって徐々に滑り斜面２０に当接される。斜面２０は、その第一の傾斜角度θ１が最先端凸条１３の第二の傾斜角度よりも小さいため、手指は、斜面２０上を滑りやすい。このため、過度の力でキャップ１を螺着させようとすると、手指が斜面２０上を滑ってしまい、キャップ１に対して螺着方向Ｘ１に回転させる力が失われる。この結果、キャップ１が容器本体に過度に強く螺合されるのを防止できる。
キャップ１を容器本体から螺脱させる際には、ローレット部１０に手指を当接し、キャップ１を螺脱方向Ｙ１に回転させる。この際、最先端凸条１３に隣接して斜面２０が形成されているため、容易に最先端凸条１３の第一の面１３ａに手指が当接され、手指は最先端凸条１３に強く掛かり、容易にキャップ１を螺脱方向Ｙ１に回転できる。
【００２５】
上述の通り、本実施形態によれば、最先端凸条の第一の基端から、基準面に向かう斜面が形成され、斜面の第一の傾斜角度が最先端凸条の第二の傾斜角度よりも小さいため、キャップは、容器本体に過度な力で螺着されず、容器本体から容易に螺脱できる。
【００２６】
（第二の実施形態）
本発明の第二の実施形態について、以下に図４を参照して説明する。なお、第一の実施形態と同じ部材には同じ符号を付してその説明を省略すると共に、主に第一の実施形態と異なる点を説明する。
図４（ａ）は、キャップ１００の平面視におけるローレット部１１０及びその近傍の模式図であり、図４（ｂ）は、図４（ａ）の部分拡大図である。
【００２７】
本実施形態のキャップ１００は、第一の実施形態のキャップ１と同様に、周壁部１０４の外周面に、軸線方向に延びる７つの第一の凸条１１２と６つの第二の凸条１１４とからなるローレット部１１０が４つ形成され、ローレット部１１０の間には、第一の凸条１１２及び第二の凸条１１４が形成されていない平滑部３０が形成されたものである。
【００２８】
ローレット部１１０は、螺着方向Ｘ１の両端が第一の凸条１１２とされ、第一の凸条１１２と第二の凸条１１４とが交互に形成されたものである。
第一の凸条１１２及び第二の凸条１１４は、周壁部１０４の外面を基準面Ｑ２とし、基準面Ｑ２から突出するように形成されたものである。
【００２９】
第一の凸条１１２の基端及び第二の凸条１１４の基端、即ち、第一の凸条１１２と第二の凸条１１４との間に形成された凹条１１１の底部１１１ａは、周壁部１０４の基準面Ｑ２（即ち、周壁部１０４の表面）に位置する。第二の凸条１１４の高さは、第一の凸条１１２の高さより低くされている。
【００３０】
螺着方向Ｘ１における最先端に位置する第一の凸条１１２（以下、最先端凸条１１３ということがある）の螺合方向Ｘ１の面（第一の面）１１３ａの基端（第一の基端）１１３ｃは、基準面Ｑ２よりも内方に位置している。周壁部１０４には、第一の基端１１３ｃから基準面Ｑ２に向かう平面状の斜面１２０が形成され、斜面１２０は、境界１２２で基準面Ｑ２に接している。即ち、斜面１２０は、最先端凸条１１３に隣接して形成された凹条により形成されている。
【００３１】
斜面１２０は、斜面１２０と、キャップ１００の軸線を中心としかつ第一の基端１１３ｃを通る第一の仮想円Ｃ２の接線Ｐ３とのなす第一の傾斜角度θ３が、最先端凸条１１３における螺脱方向Ｙ１の面（第二の面）１１３ｂと、第二の面１１３ｂの基端（第二の基端）１１３ｄにおける基準面Ｑ２の接線Ｐ４とのなす第二の傾斜角度θ４よりも小さいものとされている。なお、本実施形態において、第二の仮想円は基準面Ｑ２が描く線である。なお、接線Ｐ３は、第一の基端１１３ｃを通るものであり、接線Ｐ４は、第二の基端１１３ｄを通るものである。
【００３２】
任意のローレット部１１０とこれに隣接する斜面１２０との形成範囲は、第一の実施形態におけるローレット部１０とこれに隣接する斜面２０との形成範囲と同様である。
【００３３】
第一の凸条１１２の高さ、即ち、基準面Ｑ２から第一の凸条１１２の突端１１２ａまでの距離は、第一の実施形態における第一の凸条１２の高さと同様である。
第一の凸条１１２同士の間隔は、第一の実施形態における第一の凸条１２同士の間隔と同様である。
第二の凸条１１４の高さ、即ち、基準面Ｑ２から第二の凸条１１４の突端１１４ａまでの距離は、第一の実施形態における第二の凸条１４の高さと同様である。
【００３４】
最先端凸条１１３の第二の傾斜角度θ４は、第一の実施形態における第二の傾斜角度θ２と同様である。
【００３５】
斜面１２０の第一の傾斜角度θ３は、第一の実施形態における第一の傾斜角度θ１と同様である。
斜面１２０の幅ｗ２は、第一の実施形態における斜面２０の幅ｗ１と同様である
【００３６】
（その他の実施形態）
本発明は、上述の実施形態に限定されるものではない。
第一及び第二の実施形態では、４つのローレット部が形成されているが、本発明は、平滑部が形成されていればよく、ローレット部が１つであってもよいし、５つ以上であってもよい。
【００３７】
第一及び第二の実施形態では、ローレット部が、第一の凸条と第一の凸条より低い第二の凸条とで構成されているが、本発明はこれに限定されず、ローレット部が、全て同じ高さの凸条で構成されていてもよいし、３種以上の高さの異なる凸条で構成されていてもよい。
【００３８】
第一及び第二の実施形態では、１つのローレット部が７つの第一の凸条と６つの第二の凸条との合計１３個の凸条で構成されているが、本発明はこれに限定されず、１つのローレット部を構成する凸条の数は、キャップの外径等を勘案して適宜決定されればよく、１２個以下であってもよいし、１４個以上であってもよい。
【００３９】
第一及び第二の実施形態では、キャップが平面視真円形とされているが、本発明はこれに限定されず、キャップの形状が平面視楕円形又は平面視多角形であってもよい。中でも、キャップは、平面視円形又は平面視八角形以上の多角形が好ましく、平面視真円形がより好ましい。キャップが平面視真円形に近づくほど、斜面を形成した効果が顕著に発揮される。
【００４０】
第一及び第二の実施形態では、斜面が平面とされているが、本発明はこれに限定されず、本発明の効果を損なわない範囲で、斜面が凹面とされていてもよいし、凸面とされていてもよい。
【符号の説明】
【００４１】
１、１００    キャップ
１０、１１０    ローレット部
１２、１１２    第一の凸条
１３、１１３    最先端凸条
１３ａ、１１３ａ    第一の面
１３ｂ、１１３ｂ    第二の面
１３ｃ、１１３ｃ    第一の基端
１３ｄ、１１３ｄ    第二の基端
１４、１１４    第二の凸条
２０、１２０    斜面
３０    平滑部
θ１、θ３    第一の傾斜角度
θ２、θ４    第二の傾斜角度
Ｑ１、Ｑ２    基準面
Ｃ１、Ｃ２    仮想円
Ｐ１、Ｐ２、Ｐ３、Ｐ４    接線
【図１】
0005879122.tif 000002
【図２】
0005879122.tif 000003
【図３】
0005879122.tif 000004
【図４】
0005879122.tif 000005